(57)【要約】【課題】商品特定画像の表示形態の設定において、ユーザに掛かる負担を抑制する。【解決手段】実施形態の商品選択装置は、表示形態決定手段と、表示制御手段と、商品受付手段と、を備える。前記表示形態決定手段は、複数の属性を有する商品を特定する商品特定画像の表示のために各前記属性に割り当てられた前記商品特定画像の部分領域の、表示形態を、組み合わせて、前記複数の属性を有する商品の商品特定画像の表示形態を決定する。前記表示制御手段は、前記決定手段によって決定された表示形態で、前記商品特定画像を表示器に表示させる。前記商品受付手段は、前記表示器に表示された前記商品特定画像の指定を受け付ける。【選択図】図８
2012053731.tif 000002
【特許請求の範囲】
【請求項１】
複数の属性を有する商品を特定する商品特定画像の表示のために各前記属性に割り当てられた前記商品特定画像の部分領域の、表示形態を、組み合わせて、前記複数の属性を有する商品の商品特定画像の表示形態を決定する表示形態決定手段と、
前記決定手段によって決定された表示形態で、前記商品特定画像を表示器に表示させる表示制御手段と、
前記表示器に表示された前記商品特定画像の指定を受け付ける商品受付手段と、
を備える商品選択装置。
【請求項２】
複数の前記属性のうち相互に排他関係にある属性に対してそれぞれ割り当てられた前記商品特定画像の部分領域は、同じである請求項１に記載の商品選択装置。
【請求項３】
前記商品特定画像の表示形態は、色を含む請求項１または２に記載の商品選択装置。
【請求項４】
前記商品特定画像は、枠と、前記枠内の第１領域と、前記第１領域とは異なる前記枠内の第２領域と、を前記部分領域として有し、
前記第１領域は、前記複数の属性のうち相互に排他関係にある属性に対して割り当てられ、
前記第２領域は、前記第１領域に割り当てられた属性と排他関係ではない属性に対して割り当てられた請求項１ないし３のいずれか一項に記載の商品選択装置。
【請求項５】
割付受付手段と、
位置受付手段と、
を備え、
前記表示制御手段は、複数の前記商品特定画像が割り付けられる商品領域と、前記商品特定画像を前記商品欄に割り付け可能な商品の一覧表と、を前記表示器に表示させ、
前記割付受付手段は、前記一覧表に含まれる前記商品のうち、前記商品欄に前記商品特定画像を割り付ける商品の指定を受け付け、
前記位置受付手段は、前記商品欄における、前記割付受付手段が指定を受け付けた前記商品の前記商品特定画像を割り付ける位置、の指定を受け付け、
前記表示制御手段は、前記表示器に、前記割付受付手段が指定を受け付けた商品の前記商品特定画像を、前記位置受付手段が指定を受け付けた位置に表示させる請求項１ないし４のいずれか一項に記載の商品選択装置。
【請求項６】
コンピュータを、
複数の属性を有する商品を特定する商品特定画像の表示のために各前記属性に割り当てられた前記商品特定画像の部分領域の、表示形態を、組み合わせて、前記複数の属性を有する商品の商品特定画像の表示形態を決定する表示形態決定手段と、
前記決定手段によって決定された表示形態で、前記商品特定画像を表示器に表示させる表示制御手段と、
表示器に表示された前記商品特定画像の指定を受け付ける商品受付手段と、
として機能させるプログラム。
【発明の詳細な説明】
【技術分野】
【０００１】
本発明の実施形態は、商品選択装置およびプログラムに関する。
【背景技術】
【０００２】
従来より、タッチパネルでのタッチ指定可能なメニュー品目ボタンを表示器に表示して、タッチ指定されたメニュー品目に対応するメニュー品目の注文を受け付ける注文受付装置がある。
【発明の概要】
【発明が解決しようとする課題】
【０００３】
しかしながら、従来技術の注文受付装置においては、各メニュー品目ボタンの色の設定をユーザが一つ一つ指定操作しながら設定しなければならず、ユーザに掛かる負担が大きい。
【課題を解決するための手段】
【０００４】
実施形態の商品選択装置は、表示形態決定手段と、表示制御手段と、商品受付手段と、を備える。前記表示形態決定手段は、複数の属性を有する商品を特定する商品特定画像の表示のために各前記属性に割り当てられた前記商品特定画像の部分領域の、表示形態を、組み合わせて、前記複数の属性を有する商品の商品特定画像の表示形態を決定する。前記表示制御手段は、前記決定手段によって決定された表示形態で、前記商品特定画像を表示器に表示させる。前記商品受付手段は、前記表示器に表示された前記商品特定画像の指定を受け付ける。
【図面の簡単な説明】
【０００５】
【図１】図１は、実施形態の商品選択装置としての注文受付装置の電気的接続を示すブロック図である。
【図２】図２は、実施形態の部門ファイルのファイル構造を示す模式図である。
【図３】図３は、実施形態のＰＬＵファイルのファイル構造を示す模式図である。
【図４】図４は、実施形態の表示形態テーブルのテーブル構造を示す模式図である。
【図５】図５は、実施形態の注文受付装置の機能構成を示すブロック図である。
【図６】図６は、実施形態のオーダー入力画面の一例を示す図である。
【図７】図７は、実施形態のメニュー割付画面の一例を示す図である。
【図８】図８は、実施形態のＰＬＵファイルの更新処理の流れを示すフローチャートである。
【発明を実施するための形態】
【０００６】
以下に添付図面を参照して、実施形態を詳細に説明する。本実施形態は、商品選択装置を注文受付装置に適応した例である。したがって、メニュー品目が商品に相当する。
【０００７】
図１は、本実施形態の注文受付装置の電気的接続を示すブロック図である。図１に示すように、注文受付装置１００は、制御部１０１を備えており、この制御部１０１が各部を駆動制御する。制御部１０１は、各部を集中的に制御するＣＰＵ（Central  Processing  Unit）１０２、バスライン１０３を介して制御プログラム等の固定的情報を予め記憶するＲＯＭ（Read  Only  Memory）１０４と、各種情報を書き換え自在に記憶してワークエリア等として機能するＲＡＭ（Random  Access  Memory）１０５とが接続されて構成されたコンピュータである。したがって、制御部１０１は、情報処理を実行する情報処理部を構成する。
【０００８】
制御部１０１には、バスライン１０３を介して、タッチパネルコントローラ１０６、表示コントローラ１０７、ＨＤＤ（Hard  Disk  Drive）１０８、インターフェース１０９、および通信インターフェース１１０が接続されている。タッチパネルコントローラ１０６は、タッチパネル１１２からの入力信号を制御部１０１に取り込む。表示コントローラ１０７は、画像データに基づいて液晶表示器（ＬＣＤ：Liquid  Crystal  Display）１１１を駆動制御し、画像データに応じた画像を液晶表示器１１１に表示させる。インターフェース１０９は、図示しないプリンタや客面表示装置などを制御部１０１に接続させるためのインターフェースであり、ＵＳＢ（Universal  Serial  Bus）等によって構成される。通信インターフェース１１０は、制御部１０１をＬＡＮ（Local  Area  Network）等を経由して他の機器とデータ通信可能にするためのインターフェースである。
【０００９】
ＨＤＤ１０８は、ＯＳ、コンピュータプログラム、部門ファイル３０１、ＰＬＵファイル４０１、表示形態テーブルＴ等を記憶している。これらのＯＳ、コンピュータプログラム、部門ファイル３０１、ＰＬＵファイル４０１、表示形態テーブルＴ等は、注文受付装置１００の起動時にその全部または一部がＲＡＭ１０５にコピーされてＣＰＵ１０２にアクセスされる。ＣＰＵ１０２は、こうしてコピーされたＯＳおよびコンピュータプログラムに従った処理を実行する。
【００１０】
図２は、本実施形態の部門ファイル３０１のファイル構造を示す模式図である。図２に示すように、部門ファイル３０１は、２桁の部門番号３０１ａに対応させて、部門３０１ｂ、タグ位置３０１ｃ、および備考３０１ｄというレコードを登録している。部門番号３０１ａは、一例として、
０１：ドリンク
０２：デザート
０３：和膳
０４：和洋食
０５：丼もの
０６：鍋もの
０７：うどん＆そば
０８：一品料理
０９：健菜とサラダ
という部門を登録している。部門３０１ｂには、部門番号３０１ａに登録されているレコードで定義される部門名のテキストが登録されている。タグ位置３０１ｃには、オーダー入力画面Ｄに表示される部門タグＤ１１（図６参照）に対する個々の部門３０１ｂのレコードの割り付けを定義している。備考３０１ｄは、例えば情報管理用に様々な情報をテキストで書き込める欄である。
【００１１】
図３は、本実施形態のＰＬＵファイル４０１のファイル構造を示す模式図である。図３に示すように、ＰＬＵファイル４０１は、コード４０１ａに対応させて、部門４０１ｂ、画像リンク４０１ｃ、メニュー名４０１ｄ、単価４０１ｅ、割付４０２ｆ、ホットメニューフラグ４０１ｇ、コールドメニューフラグ４０１ｈ、飲み放題フラグ４０１ｉ、セットメニューフラグ４０１ｊを記憶している。部門４０１ｂ、画像リンク４０１ｃ、メニュー名４０１ｄ、単価４０１ｅ、割付４０２ｆ、ホットメニューフラグ４０１ｇ、コールドメニューフラグ４０１ｈ、飲み放題フラグ４０１ｉ、セットメニューフラグ４０１ｊは、メニュー品目のオーダーを受け付けるための商品特定画像であるメニュー品目欄Ｄ１２（図６参照）に表示されるメニューボタンＤ１２ａ（図６参照）を定義する定義情報である。このＰＬＵファイル４０１は、複数の属性を有するメニュー品目の属性をメニュー品目毎に記憶した記憶部である。
【００１２】
ここで、本実施形態では、ホットメニュー、コールドメニュー、飲み放題メニュー、セットメニューが、ドリンクのメニュー品目の属性である。これらの属性のうちホットメニューとコールドメニューとは、相互に排他関係にある属性である。また、ホットメニュー、飲み放題メニュー、セットメニューは、相互に排他関係ではない属性である。また、コールドメニュー、飲み放題メニュー、セットメニューも、相互に排他関係ではない属性である。
【００１３】
コード４０１ａに登録されているレコードは、４桁の数字で表現されている。部門４０１ｂに登録されているレコードは、部門ファイル３０１中の部門３０１ｂに登録されているレコードで定義されている部門を表している。画像リンク４０１ｃは、メニュー品目欄Ｄ１２（図６参照）のメニューボタンＤ１２ａ（図６参照）に表示される画像データに対するリンクを定義している。これらの画像は、ＨＤＤ１０８にインストールされている。メニュー名４０１ｄには、コード４０１ａに登録されているレコードで定義されるメニュー品目の品名のテキストが登録されている。また、単価４０１ｅには、コード４０１ａに登録されているレコードで定義されるメニュー品目の単価のレコードが定義されている。割付４０１ｆには、コード４０１ａに登録されているレコードで定義されるメニュー品目欄Ｄ１２におけるメニューボタンＤ１２ａ（図６参照）の割付位置が登録されている。なお、割付４０１ｆに割付位置が登録されていないコード４０１ａにより定義された部門４０１ｂのメニュー品目は、メニュー品目欄Ｄ１２のメニューボタンＤ１２ａ（図６参照）に表示されないものとする。
【００１４】
これまで説明した図２および図３を参照すると分かるように、コード「０００１」は、「ドリンク」という部門の「ブレンドコーヒー」を定義しており、「￥３５０」という単価を設定している。コード「０００２」は、「ドリンク」という部門の「アイスコーヒー」を定義しており、「￥３５０」という単価を設定している。
【００１５】
図３に戻り、ホットメニューフラグ４０１ｇ、コールドメニューフラグ４０１ｈ、飲み放題フラグ４０１ｉおよびセットメニューフラグ４０１ｊは、ＯＮまたはＯＦＦで表現される。ＯＮは、例えば数字の１で表現され、ＯＦＦは、数字の０で表現される。なお、図面では、説明の便宜上、ＯＮは「○」で表現され、ＯＦＦは記入無しで表現されている。
【００１６】
ホットメニューフラグ４０１ｇがＯＮであることは、メニュー品目がホットメニューの品目であることを意味する。コールドメニューフラグ４０１ｈがＯＮであることは、メニュー品目がコールドメニューであることを意味する。飲み放題フラグ４０１ｉがＯＮであることは、メニュー品目が飲み放題メニューであることを意味する。セットメニューフラグ４０１ｊがＯＮであることは、メニュー品目がセットメニューであることを意味する。これらのホットメニューフラグ４０１ｇ、コールドメニューフラグ４０１ｈ、飲み放題フラグ４０１ｉおよびセットメニューフラグ４０１ｊは、メニューボタンＤ１２ａの表示形態を設定するための情報である。
【００１７】
図４は、本実施形態の表示形態テーブルＴのテーブル構造を示す模式図である。図４に示すように、表示形態テーブルＴは、各フラグ（ホットメニューフラグ４０１ｇ、コールドメニューフラグ４０１ｈ、飲み放題フラグ４０１ｉおよびセットメニューフラグ４０１ｊ）のＯＮ／ＯＦＦの条件に応じて、メニューボタンＤ１２ａの表示形態である色を設定している。
【００１８】
次に、注文受付装置１００のＨＤＤ１０８にインストールされたＯＳおよびコンピュータプログラムにより制御部１０１のＣＰＵ１０２が実行する処理について説明する。
【００１９】
ＣＰＵ１０２は、コンピュータプログラムに従うことにより、図５に示すように、表示制御手段５０１、表示形態決定手段５０２、受付手段５０３、割付受付手段５０４、位置受付手段５０５等として動作する。
【００２０】
表示制御手段５０１は、図６に示すようなオーダー入力画面Ｄや図７に示すメニュー割付画面Ｅを液晶表示器１１１に表示させる。以下では、まず、オーダー入力画面Ｄに関する説明をしてから、メニュー割付画面Ｅに関する説明を行う。
【００２１】
図６に示すように、オーダー入力画面Ｄには、部門タグＤ１１、メニュー品目欄Ｄ１２、オーダーリストＤ１３、業務指定キーＤ１４、ファンクションキーＤ１５などが表示されている。
【００２２】
部門タグＤ１１には、部門ファイル３０１の部門番号３０１ａに対応して、部門３０１ｂに登録されている部門名のテキストが表示された部門ボタンＤ１１ａが、タッチパネル１１２によるタッチ指定が可能なオブジェクトとして表示されている。
【００２３】
メニュー品目欄Ｄ１２には、初期状態では、ＰＬＵファイル４０１のコード４０１ａに対応して登録された部門４０１ｂ、画像リンク４０１ｃ、メニュー名４０１ｄ、単価４０１ｅ、割付４０１ｆなどの定義情報に従って割り付けられたメニューボタンＤ１２ａが、部門ボタンＤ１１ａがタッチ指定された部門３０１ｂ毎に、タッチパネル１１２によるタッチ指定が可能なオブジェクトとして表示されている。
【００２４】
メニューボタンＤ１２ａは、オーダーを受け付けるメニュー品目を特定する商品特定画像である。メニューボタンＤ１２ａは、割付４０１ｆで定義されているメニューボタンＤ１２ａを割付可能な割付位置Ｄ１２ｂに、画像リンク４０１ｃで定義されているリンク先の画像データとメニュー名４０１ｄに登録されている品名のテキストとが表示されたボタンである。詳細には、メニューボタンＤ１２ａは、矩形状に形成されている。メニューボタンＤ１２ａは、枠Ｄ１２ｃと、枠Ｄ１２ｃ内の全領域である枠内領域Ｄ１２ｄと、を部分領域として有する。更に、枠内領域Ｄ１２ｄは、第１領域Ｄ１２ｅと第２領域Ｄ１２ｆとに区分けされている。つまり、メニューボタンＤ１２ａは、枠Ｄ１２ｃ内の第１領域Ｄ１２ｅと、第１領域Ｄ１２ｅとは異なる枠Ｄ１２ｃ内の第２領域Ｄ１２ｆと、をさらに部分領域として有する。表示制御手段５０１によるメニューボタンＤ１２ａの表示処理の詳細は後述する。
【００２５】
オーダーリストＤ１３には、タッチパネル１１２によってオーダー入力画面Ｄ上でタッチ指定されたメニュー品目、オーダー数および金額（単価×オーダー数）が一覧表示される。
【００２６】
業務指定キーＤ１４には、会計処理の実行に係る「会計」、オーダー送信の実行に係る「オーダー送信」、ＰＬＵファイル４０１の更新処理の実行に係る「その他の機能設定」等の各種の業務の実行を指定するためのキーが、タッチパネル１１２によるタッチ指定が可能なオブジェクトとして表示されている。
【００２７】
ファンクションキーＤ１５には、オーダー数を増やす処理の実行に係る「数量増」、オーダー数を減らす処理の実行に係る「数量減」の各種のファンクションの実行を指定するためのキーが、タッチパネル１１２によるタッチ指定が可能なオブジェクトとして表示されている。
【００２８】
このようなオーダー入力画面Ｄにおいて、メニュー品目を入力するに際しては、所望の部門タグＤ１１のタッチ指定によって、「ドリンク」、「デザート」、「和膳」、「和洋食」、「丼もの」、「鍋もの」、「うどん＆そば」、「一品料理」、「健菜とサラダ」のうちから所望の部門の選択が可能である。例えば、部門タグＤ１１のうち、「一品料理」の部門ボタンＤ１１ａをタッチ指定した場合には、図６に例示するような「一品料理」についてのオーダー入力画面Ｄが表示される。
【００２９】
受付手段５０３は、液晶表示器１１１においてオーダー入力画面Ｄに表示された商品特定画像であるメニューボタンＤ１２ａの何れか一つがタッチパネル１１２によってタッチ指定されたならば、そのタッチ指定されたメニューボタンＤ１２ａに対応するメニュー品目の注文を受け付けて、そのメニュー品目の名称、注文数、金額等の情報を含む注文情報を生成して、ＲＡＭ１０５に記憶するととともに、ホスト装置に送信する。
【００３０】
次に、メニュー割付画面Ｅに関する説明を行う。表示制御手段５０１は、業務指定キーＤ１４の「その他の機能設定」がタッチ指定された場合、図７に示すようなメニュー割付画面Ｅを液晶表示器１１１に表示させる。
【００３１】
図７に示すように、メニュー割付画面Ｅには、部門タグＤ１１、複数のメニューボタンＤ１２ａが割り付けられる商品欄であるメニュー品目欄Ｄ１２、メニューボタンＤ１２ａをメニュー品目欄Ｄ１２に割り付け可能なメニュー品目の一覧表Ｅ１１などが表示されている。なお、部門タグＤ１１およびメニュー品目欄Ｄ１２については、オーダー入力画面Ｄの表示と同様であるため、ここでは説明を省略する。このとき、表示制御手段５０１は、表示形態決定手段５０２によって決定された表示形態で、メニューボタンＤ１２ａをメニュー割付画面Ｅ（液晶表示器１１１）に表示させる。メニューボタンＤ１２ａの表示形態は、色を含む。
【００３２】
一覧表Ｅ１１には、ＰＬＵファイル４０１のコード４０１ａ、コード４０１ａに対応して登録された部門４０１ｂ、画像リンク４０１ｃ、メニュー名４０１ｄ、割付４０１ｆなど、メニュー品目欄Ｄ１２にメニューボタンＤ１２ａを割付可能なメニュー品目Ｅ１１ａが含まれ、部門ボタンＤ１１ａがタッチ指定された部門４０１ｂ毎に、タッチパネル１１２によるタッチ指定が可能なオブジェクトとして表示されている。なお、本実施の形態では、一覧表Ｅ１１に表示された割付４０１ｆには、メニュー品目欄Ｄ１２にメニューボタンＤ１２ａが割り付けられたことを示す「済」が表示されているが、ＰＬＵファイル４０１の割付４０１ｆに登録された割付位置を示す数字を表示しても良い。
【００３３】
割付受付手段５０４は、一覧表Ｅ１１に含まれるメニュー品目Ｅ１１ａのうち、メニュー品目欄Ｄ１２にメニューボタンＤ１２ａを割り付けるメニュー品目Ｅ１１ａの指定を受け付ける。詳細には、割付受付手段５０４は、一覧表Ｅ１１に含まれたメニュー品目Ｅ１１ａのうち、タッチパネル１１２によるタッチ指定によりドラッグされたメニュー品目Ｅ１１ａを、メニュー品目欄Ｄ１２にメニューボタンＤ１２ａを表示するメニュー品目Ｅ１１ａとして指定を受け付ける。
【００３４】
位置受付手段５０５は、メニュー品目欄Ｄ１２における、割付受付手段５０４が指定を受け付けたメニュー品目のメニューボタンＤ１２ａを割り付ける位置、の指定を受け付ける。詳細には、位置受付手段５０５は、メニュー品目欄Ｄ１２内においてメニューボタンＤ１２ａを割付可能な割付位置Ｄ１２ｂのうち、タッチパネル１１２によるタッチ指定によりメニュー品目Ｅ１１ａがドロップされた位置を、ドラッグされたメニュー品目Ｅ１１ａのメニューボタンＤ１２ａの割付位置Ｄ１２ｂとして指定を受け付ける。
【００３５】
また、表示制御手段５０１は、液晶表示器１１１に、割付受付手段５０４が指定を受け付けたメニュー品目のメニューボタンＤ１２ａを、位置受付手段５０５が指定を受け付けた位置に表示させる。このとき、表示制御手段５０１は、表示形態決定手段５０２が決定した表示形態で、メニューボタンＤ１２ａを表示させる。
【００３６】
表示形態決定手段５０２は、複数の属性を有するメニュー品目の商品特定画像であるメニューボタンＤ１２ａの表示形態を決定するものである。表示形態決定手段５０２は、複数の属性を有するメニュー品目を特定するメニューボタンＤ１２ａの表示のために各属性に割り当てられたメニューボタンＤ１２ａの部分領域の、表示形態を、組み合わせて、複数の属性を有するメニュー品目のメニューボタンＤ１２ａの表示形態を決定する。このとき、表示形態決定手段５０２は、ＰＬＵファイル４０１に記憶されたメニュー品目の属性と、表示形態テーブルＴに記憶さている情報を利用して、メニューボタンＤ１２ａの表示形態を決定する。
【００３７】
ここで、図４から分かるように、メニュー品目の各属性（ホットメニュー、コールドメニュー、飲み放題メニュー、セットメニュー）には、メニューボタンＤ１２ａの部分領域が割り当てられている。詳細には、メニュー品目の属性（ホットメニュー、コールドメニュー、飲み放題メニュー、セットメニュー）のうち、ホットメニューとコールドメニューとには、メニューボタンＤ１２ａの枠内領域Ｄ１２ｄのうち少なくとも第１領域Ｄ１２ｅが割り当てられている。飲み放題メニューには、メニューボタンＤ１２ａの枠Ｄ１２ｃが割り当てられている。セットメニューには、メニューボタンＤ１２ａの第２領域１２ｆが割り当てられている。より詳細には、属性としてセットメニューを有するメニュー品目の場合には、ホットメニュー、コールドメニューに対して第１領域Ｄ１２ｅが割り当てられ、セットメニューに対して第２領域Ｄ１２ｆが割り当てられる。以上の通り、本実施形態では、複数の属性のうち相互に排他関係にある属性に対して割り当てられたメニューボタンＤ１２ａの部分領域は、同じである。また、第１領域Ｄ１２ｅは、複数の属性のうち相互に排他関係にある属性に対して割り当てられ、第２領域Ｄ１２ｆは、第１領域Ｄ１２ｅに割り当てられた属性と排他関係ではない属性に対して割り当てられている。
【００３８】
例えば、表示形態決定手段５０２は、メニュー品目「ブレンドコーヒー」に対しては、図３に示すようにフラグのうちホットメニューフラグ４０１ｇのみがＯＮであるので、図４の表示形態テーブルＴから、メニューボタンＤ１２ａの枠内領域Ｄ１２ｄをピンク色、枠Ｄ１２ｃを黒色に設定する。
【００３９】
また、メニュー品目「アイスコーヒー」に対しては、図３に示すように、フラグのうちコールドメニューフラグ４０１ｈ、飲み放題フラグ４０１ｉ、セットメニューフラグ４０１ｊがＯＮであるので、表示形態決定手段５０２は、図４の表示形態テーブルＴから、メニューボタンＤ１２ａの枠内領域Ｄ１２ｄのうち第１領域Ｄ１２ｅを青色、第２領域Ｄ１２ｆを赤色、枠Ｄ１２ｃを黄色に設定する。
【００４０】
また、メニュー品目「レモンティー」に対しては、図３に示すように、いずれのフラグもＯＦＦであるので、表示形態決定手段５０２は、図４の表示形態テーブルＴから、メニューボタンＤ１２ａの枠内領域Ｄ１２ｄを白色、枠Ｄ１２ｃを黒色に設定する。
【００４１】
次に、図８を用いて、ＰＬＵファイル４０１の更新処理について説明する。図８は、ＰＬＵファイルの更新処理の流れを示すフローチャートである。表示制御手段５０１は、ＰＬＵファイル４０１の更新に際して、業務指定キーＤ１４の「その他の機能設定」がタッチ指定されるのを待つ（ステップＳ８０１：Ｎｏ）。そして、業務指定キーＤ１４の「その他の機能設定」がタッチ指定されると（ステップＳ８０１：Ｙｅｓ）、表示制御手段５０１は、メニュー割付画面Ｅを液晶表示器１１１に表示させる（ステップＳ８０２）。
【００４２】
次に、メニュー割付画面Ｅの一覧表Ｅ１１に含まれるメニュー品目Ｅ１１ａがドラッグアンドドロップされると（ステップＳ８０３：Ｙｅｓ）、割付受付手段５０４および位置受付手段５０５が、メニュー品目欄Ｄ１２にメニューボタンＤ１２ａを表示するメニュー品目Ｅ１１ａおよび当該メニュー品目Ｅ１１ａのメニューボタンＤ１２ａの割付位置Ｄ１２ｂの指定を受け付ける（ステップＳ８０４）。
【００４３】
そして、表示形態決定手段５０２が、割付受付手段５０４が指定を受け付けたメニュー品目のメニューボタンＤ１２ａの表示形態を決定し（ステップＳ８０５）、表示制御手段５０１が、表示形態決定手段５０２によって決定された表示形態で、メニューボタンＤ１２ａを、液晶表示器１１１に表示させる（ステップＳ８０６）。そして、ＣＰＵ１０２は、ステップＳ８０４で指定を受け付けた割付位置Ｄ１２ｂでＰＬＵファイル４０１に登録された定義情報のレコードを更新する（ステップＳ８０７）。
【００４４】
以上説明した本実施形態によれば、表示形態決定手段５０２が、メニュー品目の各属性に割り当てられたメニューボタンＤ１２ａの部分領域（枠Ｄ１２ｃ、枠内領域Ｄ１２ｄ、第１領域Ｄ１２ｅ、第２領域Ｄ１２ｆ）の、表示形態を、組み合わせて、メニューボタンＤ１２ａの表示形態を決定する。よって、ユーザが、メニューボタンＤ１２ａ毎に、色を設定する必要が無いので、ユーザに掛かる負担を抑制することができる。
【００４５】
なお、上記実施形態の注文受付装置１０で実行されるプログラムは、ＲＯＭ等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００４６】
また、上記プログラムを、インターネット等のネットワークに接続されたコンピュータ上に格納し、ネットワーク経由でダウンロードさせることにより提供するように構成してもよい。また、上記プログラムをインターネット等のネットワーク経由で提供又は配布するように構成してもよい。
【符号の説明】
【００４７】
１００  注文受付装置（商品選択装置）
５０１  表示制御手段
５０２  表示形態決定手段
５０３  受付手段
５０４  割付受付手段
５０５  位置受付手段
Ｄ１２  メニュー品目欄
Ｄ１２ａ  メニューボタン（商品特定画像）
Ｄ１２ｃ  枠（部分領域）
Ｄ１２ｄ  枠内領域（部分領域）
Ｄ１２ｅ  第１領域（部分領域）
Ｄ１２ｆ  第２領域（部分領域）
Ｅ  メニュー割付画面
Ｅ１１  一覧表
【先行技術文献】
【特許文献】
【００４８】
【特許文献１】特開２００８−２９９８２１公報
【図１】
2012053731.tif 000003
【図２】
2012053731.tif 000004
【図３】
2012053731.tif 000005
【図４】
2012053731.tif 000006
【図５】
2012053731.tif 000007
【図６】
2012053731.tif 000008
【図７】
2012053731.tif 000009
【図８】
2012053731.tif 000010